(57)【要約】【課題】外観上煩雑となる把手を余分に備えることなく、簡素で統一感のある意匠性を提供し、かつ、把手のコスト増を抑制する収納家具を提供する。【解決手段】内部を収納空間１０とし、収納空間１０の収納開口を開閉する第１化粧扉２と第２化粧扉３とを備え、収納開口を閉塞する第１化粧扉２と第２化粧扉３とが、その互いに対向する端縁２１、３１間に形成される間隙４を介して収納開口に並設される収納家具１である。第１化粧扉２には、前開口を閉塞する状態で間隙４に位置する第１ライン把手５が固定される。第２化粧扉３には、前開口を閉塞する状態で間隙４に位置する第２ライン把手６が固定される。第１ライン把手５と第２ライン把手６とは、間隙４の長手方向に異なる位置に配置される。【選択図】図１
2014144133.tif 000002
【特許請求の範囲】
【請求項１】
内部を収納空間とし、前記収納空間の収納開口を開閉する第１化粧扉と第２化粧扉とを隣接して備え、
前記収納開口を開閉する前記第１化粧扉と前記第２化粧扉とが、その互いに対向する端縁間に形成され、前記端縁に沿う方向を長手方向とする間隙を介して前記開口に並設される、
収納家具であって、
前記第１化粧扉には、前記開口を閉塞する状態で前記間隙の長手方向の一部に位置する第１ライン把手が固定され、
同じく、前記第２化粧扉には、前記開口を閉塞する状態で前記間隙の長手方向の一部に位置する第２ライン把手が固定され、
前記第１ライン把手と前記第２ライン把手とは、前記間隙の長手方向の異なる位置に配置されることを特徴とする収納家具。
【請求項２】
前記第１ライン把手と前記第２ライン把手とは、前記間隙の長手方向に垂直な断面において、上下が反転した形状であることを特徴とする請求項１記載の収納家具。
【請求項３】
前記間隙の長手方向における前記第１ライン把手と前記第２ライン把手との隙間であるすれ違い部が、収納家具の正面視にあって、前記間隙の長手方向のいずれかの端側の偏った位置に設けられることを特徴とする請求項１または２記載の収納家具。
【請求項４】
前記間隙の長手方向の一部分に前記第１ライン把手および前記第２ライン把手が設けられない空隙が形成され、この空隙に、独立した物品載置収納のための収納空間を形成することを特徴とする請求項１乃至３のいずれか一項に記載の収納家具。
【請求項５】
前記間隙の長手方向の一部分に前記第１ライン把手および前記第２ライン把手が設けられない空隙が形成され、この空隙を用いて前方を使用面とする電気機器が設けられることを特徴とする請求項１乃至４のいずれか一項に記載の収納家具。
【発明の詳細な説明】
【技術分野】
【０００１】
本発明は、収納家具に関するものである。
【背景技術】
【０００２】
従来より、内部を収納空間とし、前記の収納空間に対する物品の出し入れ収納性の機能上、前記の収納空間を分割する意味において、収納空間の前開口を開閉する複数の開き扉や引出しを備えた収納家具が利用されている（例えば特許文献１参照）。
【０００３】
この収納家具の開き扉や引出しの把手にあって、扉や引出しなどの前面化粧板の端縁に、端縁方向の全てに亘って把手の指掛かり部を備えるライン把手形態が多く用いられる。
【０００４】
このライン把手は、一つの収納空間の前開口を覆う化粧扉の上面端縁に沿って、左右方向つまり長手方向に延びて形成されており、上下方向に複数備わる化粧扉それぞれの上部に備わっている。
【０００５】
複数の収納家具が、並列配置設置される組み合せ家具の正面視にあっては、化粧板とその特定辺に備わるライン把手で構成された化粧扉が規則的に配列されることで、ライン把手が所定の高さ位置で、狭小高さ寸法の横一線の意匠を形成し、収納家具配列全体として、統一感のあるすっきりとした意匠を提供している。
【０００６】
言いかえると、一つの収納空間の区画の前面を形成する化粧扉、およびこの化粧扉の特定向きの一辺に備えたライン把手が、収納家具もしくは収納家具配列の収納機能性、意匠性の決定要因となっている。（例えば特許文献２参照）
【先行技術文献】
【特許文献】
【０００７】
【特許文献１】特開２００８−０７３４７４号公報
【特許文献２】特開２００８−２５３３２７号公報
【発明の概要】
【発明が解決しようとする課題】
【０００８】
前記のライン把手を備えた収納家具、もしくは収納家具の組み合せ配置にあっては、ライン把手とこれを備える化粧扉が、外観上の１区画を形成しており、収納空間の区画をも決定している。
【０００９】
ここで、例えば、収納空間の区画を増やす必要性が生じた場合などは、それに応じて、ライン把手付き化粧扉が形成する外観上の区画が増え、前述のようなライン把手が横一線に成るような統一感が崩れることも生じ、外観上煩雑なものとなる欠点を有している。
【００１０】
本発明は前記従来の問題点に鑑みて発明したものであって、その目的とするところは、
収納家具において、収納空間の前開口に複数の扉を備えるにあたり、外観上煩雑となる把手を余分に備えることなく、簡素で統一感のある意匠性を提供し、かつ、把手のコスト増を抑制する収納家具を提供することを課題とするものである。
【課題を解決するための手段】
【００１１】
前記課題を解決するために、本発明は、以下のような構成とする。
【００１２】
内部を収納空間とし、前記収納空間の収納開口を開閉する第１化粧扉と第２化粧扉とを隣接して備え、前記収納開口を開閉する前記第１化粧扉と前記第２化粧扉とが、その互いに対向する端縁間に形成され、前記端縁に沿う方向を長手方向とする間隙を介して前記開口に並設される収納家具であって、前記第１化粧扉には、前記開口を閉塞する状態で前記間隙の長手方向の一部に位置する第１ライン把手が固定され、同じく、前記第２化粧扉には、前記開口を閉塞する状態で前記間隙の長手方向の一部に位置する第２ライン把手が固定され、前記第１ライン把手と前記第２ライン把手とは、前記間隙の長手方向の異なる位置に配置されることを特徴とする。
【００１３】
また、前記第１ライン把手と前記第２ライン把手とは、前記間隙の長手方向に垂直な断面において、上下が反転した形状であることが好ましい。
【００１４】
また、前記収納家具は、前記間隙の長手方向における前記第１ライン把手と前記第２ライン把手との隙間であるすれ違い部が、収納家具の正面視にあって、前記間隙の長手方向のいずれかの端側の偏った位置に設けられることが好ましい。
【００１５】
また、前記間隙の長手方向の一部分に前記第１ライン把手および前記第２ライン把手が設けられない空隙が形成され、この空隙に、独立した物品載置収納のための収納空間を形成することが好ましい。
【００１６】
また、前記間隙の長手方向の一部分に前記第１ライン把手および前記第２ライン把手が設けられない空隙が形成され、この空隙を用いて前方を使用面とする電気機器が設けられることが好ましい。
【発明の効果】
【００１７】
本発明の収納家具において、収納空間を区画分割するにあたり、外観上煩雑となる把手を余分に備えることなく、簡素で統一感のある意匠性を提供し、かつ、把手のコスト増を抑制することができる。
【図面の簡単な説明】
【００１８】
【図１】本発明の第一の実施形態における収納家具の開状態を示し、（ａ）は前斜め上方からの斜視図であり、（ｂ）は第１化粧扉とその引出し、および、第２化粧扉とその引出しの後斜め下方からの内部の要部斜視図である。
【図２】同上の実施形態における収納家具の閉状態を示し、（ａ）は前斜め上方からの斜視図であり、（ｂ）は正面図である。
【図３】同上の実施形態における第１化粧扉および第２化粧扉のそれぞれ閉状態における後斜め上方からの斜視図である。
【図４】第二の実施形態における収納家具の扉を示し、（ａ）は第１化粧扉および第２化粧扉のそれぞれ閉状態における前斜め上方からの斜視図であり、（ｂ）は第１化粧扉および第２化粧扉の開状態における第１ライン把手および第２ライン把手を示す前斜め下方からの斜視図である。
【図５】第三の実施形態における収納家具の閉状態における前斜め上方からの斜視図である。
【図６】同上の実施形態における収納家具の開状態における前斜め上方からの斜視図である。
【図７】第四の実施形態における収納家具の閉状態（但し引出しは開）における前斜め上方からの斜視図である。
【図８】同上の実施形態における収納家具の閉状態において一部省略した、収納家具の内部を示す後斜め下方からの斜視図である。
【図９】第五の実施形態における収納家具の閉状態における前斜め上方からの斜視図である。
【図１０】同上の実施形態における収納家具の開状態を示し、（ａ）は前斜め上方からの斜視図であり、（ｂ）は平面図である。
【発明を実施するための形態】
【００１９】
以下、本発明の第一の実施形態について図１乃至図３に基づいて説明する。
【００２０】
本実施形態は、キッチンのコンロ調理台に関するものであり、複数の収納家具を床面に並列に配置設置し、上面にカウンターと、加熱調理機器としてのコンロを備えた構造について説明する。
【００２１】
本実施形態では、収納家具１は、左側のコンロ下方に設けられたものと、その右側に設けられたものを合わせて構成されたものとして説明する。
【００２２】
コンロ調理台の図示左側に配置された収納家具１Ｌは、図１（ａ）に示すように、内部を収納空間１０とし、収納空間１０が少なくとも前方への開口（以下、前開口とする）を有するものである。本実施形態の収納家具１は、図１乃至図３に示すように、前開口を備えた略矩形箱状の木質材質等のキャビネット１ａと、後述にも示す複数段（３段）の引出しとによって構成される。
【００２３】
キャビネット１ａは、左右両側部の側板１１と、側板１１の後端部に配置される背板１２（図１（ｂ）参照）と、側板１１の下端部に配置される底板（不図示）とで構成される。
【００２４】
同じく、コンロ調理台の図示右側に配置された収納家具１Ｒは、前述のキャビネット１ａと同様に、キャビネット１ｂ、上段の２段の引出し１ｂ１１、１ｂ１２、１ｂ３と中段の任意に開閉自在な開き扉１ｂ２とによって構成される。
【００２５】
以上の左右二つの収納家具１Ｌ、１Ｒの上面に、例えば人工大理石等の材質で成型されたカウンター１３を載置固定して、収納家具の上面を作業台として形成し、カウンター１３の所定開口（不図示）にコンロ１４を嵌め付け組み込みして、コンロ調理台を厨房室等に設置して完成させる。
【００２６】
また、本発明のそれぞれの実施形態に示すように、コンロ調理台として組み合わせされた収納家具１Ｌ、１Ｒの引出し１ｂ１１、１ｂ１２、１ｂ３、あるいは開き扉１ｂ２の把手は、正面視において、それぞれの引出し１ｂ１１、１ｂ１２、１ｂ３あるいは開き扉１ｂ２のほぼ全幅（左右方向）に亘って横一線状に形成されたライン把手として備えられている。
【００２７】
図１乃至図６に示すように、それぞれの引出しあるいは開き扉の上もしくは下端側に備わり、かつ、相互に隣接する収納家具同士のライン把手は、正面視の高さ位置を同じくして配置され、外観意匠性を統一的にするとともに、組み合せ収納家具として、左右方向に亘って収納空間１０の高さ方向の分割統制を成している。
【００２８】
なお、以下の説明においては、図示の視線の如く、使用者が収納家具の前開口の正面に立った場合において、収納家具の使用者側を前方（前面）、奥側を後方（背面）、左右方向は、使用者から向って左もしくは右手側を左右方向（左、右面）として説明する。
【００２９】
本実施形態においては、図１に示すように、カウンター１３の左側に偏った位置にコンロ１４が設けられている。なお、本図の場合は、加熱源としての電磁調理器１４ａが左右方向に３口並列配置されている。なお、コンロ１４の加熱源は、電磁調理器１４ａの代わりに、ガス燃焼式等のものであっても構わない。
【００３０】
図１（ａ）、図２（ａ）に示すように、このコンロ１４を使用する場合に、電源スイッチや、加熱入／切スイッチ、火力の調整スイッチ、各種の運転状態の表示部を備えるコンロ１４の操作部１４ｂが、カウンター１３の前端直下に、前後方向に出没自在にスライド自在になる構造（詳細、不図示）で備えられる。
【００３１】
前記各種のスイッチや表示部は、操作部１４ｂが手前方向に突出した状態で、上面１４ｂ１に露出して配置構成され、この上面スイッチを使用者が操作あるいは視認することで、コンロ１４の加熱運転状態を制御することができる。また、コンロ１４を使用しない時は、操作部１４ｂを奥方向に押し込むことで、操作部１４ｂが、キャビネット１ｂ内に格納される構造となっている。
【００３２】
そして、操作部１４ｂが押し込み格納状態にあっては、操作部１４ｂの前面は、その下方の第１化粧扉２の前面と、ほぼ同じ前後方向位置になり、収納家具１Ｌの前面側の意匠をすっきりとしたものにしている。
【００３３】
さらに、前記の操作部１４ｂは、前述のように、カウンター１３の前端直下に備えられるが、正面視における高さ方向の寸法は、前述の収納家具１Ｒの最上部のライン把手の正面視高さ寸法と略同一とし、左右の収納家具１Ｌ、１Ｒの把手部における横並び統一感を形成している。
【００３４】
なお、操作部１４ｂの左右両側には、ライン把手あるいは操作部１４ｂの正面と外観性を同じくする化粧部材が、キャビネット１ａに固定保持されている。
【００３５】
さらには、本実施形態のコンロ調理台は、前記のカウンター１３面のコンロ１４の手前に、調理配膳用途の手前調理作業領域１３ａが、コンロ１４の略全幅に渡って設けられている。以上の、電磁調理器１４ａ等の加熱源、操作部１４ｂ、手前調理作業領域１３ａの配置によって、コンロ加熱調理作業時には、加熱源での鍋加熱と火力調節などのコンロ操作、加熱鍋などへの食材の供給あるいは加熱食材の取り分けなどの配膳作業が、カウンター１３の手前側の短い作業動線の範囲で行なえるようになっている。
【００３６】
従って、操作部１４ｂを、カウンター１３の上面あるいは、コンロ１４の上面に配置することは、前述の理由により、好ましいものではなく、カウンター１３の前端直下の位置に備えることが好ましいとされる。
【００３７】
図に示すように、上段の第１化粧扉２、および中段の化粧扉（これを第２化粧扉３とする）および下段の化粧扉は、左右方向の寸法が、収納家具１Ｌの略全幅に等しく、高さ方向については、上段の第１化粧扉２および下段の化粧扉が小さく、中段の第２化粧扉３が大なるものとしている。なお、特に前記の高さ寸法については、収納空間１０の高さ方向の分割を収納の機能性に基づいて決定されるものであって、本実施形態の寸法に限定されない。
【００３８】
また、本実施形態のように、キッチン用途のキャビネットにあっては、所定の高さと奥行寸法を有し、複数の左右幅寸法種類から選択された寸法を有する収納家具１を組み合せて配置設置し、上面をカウンター１３で覆うものである。
【００３９】
従って、単一の収納家具１Ｌ（図１〜３において）の第１化粧扉２、第２化粧扉３あるいは下段の化粧扉については、その幅方法寸法は、通例同一とされる。
【００４０】
さらには、右隣に配置される収納家具１Ｒについても、正面視において、化粧扉もしくは収納空間１０の分割に関しても、左右の収納家具１Ｌ、１Ｒの機能上・外観意匠性に統一感を付与することを目的として、高さ方向の分割位置は、それぞれの横一線が同一となるように構成されている。
【００４１】
収納家具１Ｌは、図１乃至図３に示すように、高さ方向に、上、中、下段の３段の引出し（１ａ１、１ａ２、１ａ３）を備えている。
【００４２】
引出しは、収納家具１Ｌの収納空間１０を、高さ方向に３区画に分割しており、それぞれの引出しの前面には、収納空間１０の前開口を開閉する化粧扉を備えるもので、そのうちの上段の化粧扉が第１化粧扉２とされ、中段の化粧扉が第２化粧扉３とされる。
【００４３】
ここで、収納空間１０の分割とは、実際に仕切りや棚板等により仕切られて物理的に分割されていなくてもよく、この場合でも、人間工学的な見地あるいは使用者の感性からすれば、収納空間１０を分割して使用しているといえる。すなわち、収納空間１０が物理的に分割されていなくても、使用者は、収納空間１０の前開口を閉塞しているいずれの化粧扉を開ければ所定の収納物が取り出せるか、ということを考えて行動しており、仮想的に収納空間１０を分割して使用している。そして、使用者にとっては、仮想的に分割された（勿論、現実に分割されていてもよい）各収納空間１０のその前開口に、化粧扉が配置されるものである。
【００４４】
第１化粧扉２と第２化粧扉３は、図２（ｂ）、図３に示すように、正面視矩形の板状をしたもので、上段の引出し１ａ１、中段の引出し１ａ２の引出し本体（不図示）の前面に、各々、装着固定される。
【００４５】
以上の構造によって、引出し１ａ１、１ａ２が、スライドレール（不図示）を介して、キャビネット１ａに装着保持されることで、上、中段の収納空間１０が構成される。なお、下段の引出し１ａ３についても、引出しとしての構成は、前記の上段もしくは中段と同様であるので説明は省略する。
【００４６】
また、本実施形態は、３段引出し式の収納家具１について説明するが、収納家具１Ｌが備える化粧扉の個数は、２個以上であれば特に限定されず、いわゆる２段引出し形態あるいはその他の段数のものであってもよい。
【００４７】
図２に示すように、第１化粧扉２と第２化粧扉３、および第２化粧扉３との下段の化粧扉とは、高さ方向において、所定の間隙４を介して並設される。
【００４８】
すなわち、間隙４は、第１化粧扉２と第２化粧扉３の互いに対向する端縁間に位置する部位として定義するものである。本実施形態では、上段の引出し１ａ１の第１化粧扉２の下側端縁２１と、中段の引出し１ａ２の第２化粧扉３の上側端縁３１との間、に形成され、前記下側端縁２１、上側端縁３１に沿う方向（すなわち左右方向）を長手方向とするものである。
【００４９】
間隙４は、本実施形態では、高さ方向に一定の寸法を有しているが、前述のように、収納家具１の組み合せ時の外観意匠性の統一などの目的が必要でない場合、長手方向に亘って一定でなくてもよい。
【００５０】
第１化粧扉２には、間隙４に位置するように第１ライン把手５が、第１化粧扉２の下端から下方向きに固定される。
【００５１】
また、第２化粧扉３には、同じく間隙４に位置するように第２ライン把手６が、第２化粧扉３の上端から上方向きに固定される。
【００５２】
図３に示すように、第１ライン把手５は、第１化粧扉２の正面（裏面）視左右方向の中央に位置し、第２ライン把手６は、第２化粧扉３の左右端側の２箇所に位置して備えられ、引出しの閉状態では、第１、第２それぞれのライン把手５，６が、間隙４の位置で、相互に少許の隙間を有して隣接並列配置される。
【００５３】
第１ライン把手５は、図１（ｂ）に示すように、縦片５１と、縦片５１の下端部より前方に突出する横片５２とを有する側面視略Ｌ字状を成し、横片５２の前端部には、上方に突出する指掛かり片５３が設けられる。縦片５１の上端部には、上方に突出するように、第１化粧扉２に固定されるための固定片５４が設けられる。
【００５４】
第１ライン把手５は、固定片５４に設けたねじ等の固着具５５（図３参照）が挿通される固着具挿通孔（不図示）を介して、前記の固着具５５で第１化粧扉２に固定保持される。
【００５５】
以上の断面形状を有した第１ライン把手５は、図２に示すように、縦片５１と横片５２と指掛かり片５３とが、第１化粧扉２の下側端縁２１よりも下側に突出して、間隙４内に配置されるように第１化粧扉２に取り付けられる。
【００５６】
第１ライン把手５の把手高さ寸法Ｈ５、すなわち縦片５１と横片５２と指掛かり片５３とによって形成され、上側端縁３１よりも突出した寸法は、横片５２の下面と、第２化粧扉３の上側端縁３１との間で、高さ方向に少許の隙間寸法を介して、上下の化粧扉２、化粧扉３すなわち上段の引出し１ａ１、中段の引出し１ａ２が、相互に任意自在に前後作動が可能になるように設定される。
【００５７】
つまり、第１の化粧扉２、第２の化粧扉３の間隙４の高さ寸法Ｈ４よりも小さい寸法によって把手高さ寸法Ｈ５が設定されればよい。
【００５８】
一方、第２ライン把手６は、本実施形態にあっては、第１ライン把手５と同様の断面形状で形成され、第１ライン把手５と天地逆転状態で形成されている。
【００５９】
図１（ｂ）に示すように、縦片６１、横片６２と指掛かり片６３、固定片６４によって形成され、固定片６４に設けられた固着具挿通孔（不図示）を介して、固定具６５を用いて第２化粧扉３の上端に、上方に向けて突出して固定保持されている。
【００６０】
また、第２ライン把手６の把手高さ寸法Ｈ６は、第１ライン把手５と同じく、間隙４の高さ寸法Ｈ４よりも少許小さい寸法に設定される。
【００６１】
本実施形態においては、第１ライン把手５と第２ライン把手６の断面形状は、全く同じである。
【００６２】
例えば、アルミ材質から成る押出し成型品を用いて、縦片５１、６１（横片５２、６２もしくは指掛かり片５３、６３）の長手（左右）方向の所定寸法（把手幅）に切断して、固定片５４、６４を形成加工して、それぞれ把手が形成されるものである。
【００６３】
このため、第１ライン把手５と第２ライン把手６は、長手方向の寸法（把手幅）が調整されることで、同一部材を共通して利用可能である。
【００６４】
次に、第１ライン把手５、第２ライン把手６の、前記の間隙４における長手（左右）方向の配置について説明する。
【００６５】
本実施形態では、図１乃至図３に示すように、第１ライン把手５は、第１化粧扉２の正面視中央部に単独で配置され、第２ライン把手６は、第２化粧扉３の左右それぞれの端側にあって、第１ライン把手５を挟むように、２個配置されている。
【００６６】
第１ライン把手５と第２ライン把手６は、間隙４の長手方向において、少許の隙間を介して配置されており、この隙間が、第１ライン把手５と第２ライン把手６、つまり上段の引出し１ａ１（第１化粧扉２）と中段の引出し１ａ２（第２化粧扉３）とが干渉しないためのすれ違い部４１となっている。
【００６７】
すれ違い部４１は、狭幅であることが、外観意匠上好ましく、第１ライン把手５と第２ライン把手６とが連続しているように見えて、間隙４の見栄えが良い。
【００６８】
言いかえると、本実施形態における下段の引出し１ａ３のライン把手の正面視と同じ外観性が得られ、前述の操作部１４ｂ、間隙４部分、下段の引出し１ａ３それぞれのライン把手が、横一線で同じ高さ寸法の正面視を形成しており、意匠性に優れるものである。
【００６９】
また、本実施形態においては、上段の引出し１ａ１に対する把手を、第１化粧扉２の上端側に設けることは、操作部１４ｂとの干渉が生じ、構造上困難であった。
【００７０】
さらに、第１化粧扉２の下端側に備えることについても、第１化粧扉２の全幅に渡ってライン把手を設けた場合、第２ライン把手５と合わせて、正面視において高さ方向に２段のライン把手が存在することとなり、図１のような組合せ収納家具１にあっては、ライン把手の数量増によるコストアップ、正面視外観意匠性の不調和等の理由によって、好ましくないものとなる。
【００７１】
以上の課題に対して、上段の引出し１ａ１としての機能を有しながら、必要となる把手機能を引出しの化粧扉の下方に設けるとともに、中段の引出し１ａ２の把手部位に共存するような形状構成とするものであって、組合せ収納家具の統一された外観意匠性を保ち、かつ化粧扉およびその把手のコストを低減するための効果を奏するものである。
【００７２】
間隙４における、３個のライン把手の合計コストは、第１化粧扉２の全幅に亘って備えた１本のライン把手のコストに対して、大きく増加するものではなく、加えてすれ違い部４１が短く形成されることで、第１ライン把手５と第２ライン把手６とが連続しているように見えて、見栄えが良い。
【００７３】
なお、第一の実施形態にあっては、ライン把手５，６のすれ違い部４１が、間隙４の左右方向の２箇所存在する構成としたが、すれ違い部４１を１箇所として、ライン把手５、６それぞれが左、右の１箇所にのみ備えられる構成とすることも可能である。
【００７４】
次に、第二の実施形態について図４に基いて説明する。なお、第一の実施形態と同じ部分については同符号を付して説明を省略し、異なる部分について説明する。
【００７５】
本実施形態において、第一の実施形態と異なる点は、第１ライン把手５の側面視断面形状である。
【００７６】
第一の実施形態においては、第１ライン把手５、第２ライン把手６ともに、側面視同一断面形状のものを、ライン把手の天地方向が逆向きになるように、上方に位置する第１化粧扉２と下方に位置する第２化粧扉３のそれぞれに、取り付け具備している。従って、それぞれのライン把手５，６の最手前の指掛かり片５３、６３は、各々、天地逆方向に向くことになっている。
【００７７】
これにより、把手に手を掛ける際に、第１ライン把手５に対しては、手の甲が上向き、第２ライン把手６に対しては、手の甲が下向きとなる動作が必然となり、引出しの使い勝手としては、最良のものではない。
【００７８】
第一の実施形態の場合、床面に近い位置、言いかえると、使用者の腰位置よりも低い位置での動作姿勢であるので、前記の手の上下向きの切り換えについて、人間工学的に大きな障害とならないが、ライン把手が設けられる床面からの高さ位置などによっては、隣接する化粧扉毎のライン把手の指掛かり片の向きが一定方向に向けられている方が、より好ましい場合がある。第二の実施形態は、この点に鑑み構成されたものである。
【００７９】
本実施形態は、第１ライン把手５の横片５２および指掛かり片５３を、第１化粧扉２の下端縁近傍に備え、縦片５１を、前記の横片５２の下方に向けて、第２化粧扉３の上側端縁３１近傍まで延出させた形状としている。
【００８０】
これによって、第１ライン把手５、第２ライン把手６ともに、指掛かり片５３，６３の向きが、下向きに揃い、双方の扉に対する手掛け操作性が統一されて、使い勝手がより良くなる。
【００８１】
また、縦片５１の下方延出により、正面視にあっては、縦片５１と左右の第２ライン把手６の縦片６１が、左右方向に横一線に並列するので、間隙４の意匠性も第１の実施形態と同様、好適なものになる。
【００８２】
なお、逆説的に、第一の実施形態の様に、指掛かり片５３、６３の天地方向が逆転する構成とすることにより、上中段の引出し１ａ１、１ａ２が共に閉状態では、目的の引出しに手を掛ける動作をする際の、言わば目印ともなり、この点においては、第一の実施形態の構成についての優位性が提供される。
【００８３】
次に、第三の実施形態について図５及び図６に基いて説明する。なお、第一の実施形態と同じ部分については同符号を付して説明を省略し、異なる部分について説明する。
【００８４】
第三の実施形態の収納家具１Ｒは、第一の実施形態に示すコンロ調理台を構成する収納家具１Ｌの正面視右側に隣接設置されたものである。
【００８５】
この収納家具１Ｒは、上段に２つの段の引出し１ｂ１１、１ｂ１２と中段の開き扉１ｂ２（図において、右開き）と、下段の引出し１ｂ３によって、キャビネット１ｂの収納空間１０が区分分割されている。
【００８６】
上段の２つの段の下引出し１ｂ１２は、前述の第１の化粧扉２に相当し、中段の開き扉１ｂ２が、同じく第２の化粧扉３に相当する。
【００８７】
前記の下引出し１ｂ１２と、開き扉１ｂ２との間に、間隙４を備え、この間隙４に、下引出し１ｂ１２の第１ライン把手５が下向きに、開き扉１ｂ２の第２ライン把手６が上向きに、それぞれ、第１の化粧扉２、第２の化粧扉３に取り付けられている。
【００８８】
本実施形態においては、第１ライン把手５と第２ライン把手６のすれ違い部４１が、間隙４の左右（長手）方向の片側に偏った位置に設けられている。
【００８９】
つまり、第１ライン把手５と第２ライン把手６の、左右（長手）方向の寸法を大小として間隙４に配列している。
【００９０】
図に示す間隙４の正面視左側寄りの位置は、使用者がコンロ調理台のコンロ１４手前に立った場合に、使用者の右手に近い側となる。
【００９１】
収納家具１Ｒの開き扉１ｂ２は、図示の通り、右開きで構成されており、従って、使用者がコンロ１４の手前に立った場合に、第２ライン把手６は、コンロ１４に近い側に位置することが、使い勝手上望ましい。
【００９２】
また、すれ違い部４１を左側に偏らせること、すなわち第２ライン把手６の左右方向（幅）寸法を短く、第１ライン把手５の左右方向（幅）寸法を長くすることにより、コンロ手前に立った使用者からは、第１ライン把手５にも、手が届きやすく使い勝手が良好である。
【００９３】
なお、キッチン等の組み合わせ収納家具の配列は、設置される部屋の構造、使用者の使い勝手に応じて、キッチンシンクやコンロのそれぞれの左右勝手端位置が決定されるので、本実施形態におけるすれ違い部４１の位置についても、図５に示すものと左右鏡面対称の形態であってもよい。
【００９４】
さらに、第１ライン把手５（第２ライン把手６）の左右方向寸法は、図に示す幅寸法に特定されない。
【００９５】
間隙４におけるすれ違い部４１が、収納家具１の正面視の左右のいずれかに偏っていることについては、第一乃至第三の実施形態においても、中段の第２の化粧扉３の第２ライン把手６が、収納家具１Ｌの正面視右側に位置し、上段の第１の化粧扉２の第１ライン把手５が、同じく正面視中央に位置していることと同じ目的を有する。
【００９６】
使用者が、収納家具１Ｒ側から、収納家具１Ｌの引き出しを操作する場合、片腕を伸ばして届く範囲内での指（手）掛かり性を良好なものとしている。
【００９７】
ここで、収納家具１Ｒの上段の２つの段の上引出し１ｂ１１、下引出し１ｂ１２について説明する。
【００９８】
図１、２に示すように、収納家具１Ｌ、１Ｒが並列に設置構成された場合、収納家具正面視の最上位のライン把手と、第一乃至第三の実施形態に示す間隙４、つまり中段位のライン把手の高さ位置が、双方の収納家具１ともに同一となり、コンロ調理台として、水平方向に横一線の外観を形成している。
【００９９】
つまり、複数の収納家具１の組み合わせにおいて、高さ方向寸法に統一性を付与することで、収納空間１０の区分や外観意匠についてモジュール化している。
【０１００】
この構成にあって、収納家具１Ｒの上段の引出し１ｂ１１、１ｂ１２は、一つの高さモジュール内で、収納空間１０を上下に２分割する形態を提供している。
【０１０１】
通常、このような組み合わせ家具配列にあっては、一つの収納区画が単一のモジュールを形成しており、収納区画を増やすことは、ライン把手とこれを備えた化粧扉を独立して増やすこととなり、高さ方向においてライン把手が増え、外観上の煩雑さ、コスト増加を生じることになる。
【０１０２】
本実施形態に示すように、本来、化粧扉の上面に備えられたライン把手を、化粧扉の下面に備えることで、収納空間１０の分割にともなう化粧扉の分割と、ライン把手の整列が同時になされる利点を有するものである。
【０１０３】
次に、第四の実施形態について図７及び図８に基いて説明する。なお、第一の実施形態と同じ部分については同符号を付して説明を省略し、異なる部分について説明する。
【０１０４】
第四の実施形態は、の間隙４の長手方向に、第１ライン把手５、第２ライン把手６と、これらライン把手に隣接して並列に収納空間１０としての引出し７を備え、引出し７の前面に第３ライン把手８が設けたものである。
【０１０５】
引出し７は、図８に示すように、キャビネット１ａ、１ｂ内の間隙４の奥に、引出し７を支持するスライドレール７ａを有して構成される。（詳細説明は省略する）
このようにすることで、第１化粧扉２および第２化粧扉３とは別に、引出し７を備えたものでありながら、第３ライン把手８、第１ライン把手５および第２ライン把手６とが、横一線の外観性をなし、一本のライン把手のように見えて、シンプルな意匠性が提供できる。
【０１０６】
また、引出し７が、独立単独で使用できるので、上段、中段のような大型の引出しを必要としない小物の収納等に好適である。
【０１０７】
本実施形態は、独立した収納空間１０として、引出し７として構成したが、引出し以外には、前開口のみを備えた固定の収納棚とすることで、例えば低背の食器や盆などの収納部として構成することも可能である。
【０１０８】
また、本実施形態における引出し７の位置は、キャビネット１ａの正面視の左側としたが、中央もしくは右側、つまり第１ライン把手５もしくは第２ライン把手６の位置であってもよい。
【０１０９】
次に、第五の実施形態について図９乃至図１０に基いて説明する。なお、第一の実施形態と同じ部分については同符号を付して説明を省略し、異なる部分について説明する。
【０１１０】
第五の実施形態における収納家具１は、略矩形箱状をした洗面キャビネットである。洗面化粧台等の正面の壁面に設置される鏡付きの収納キャビネットとして説明する。
【０１１１】
単一もしくは、複数のキャビネット１ｃを隣接並列配置し、前面の収納開口（前開口）を覆う、３つの開き扉となる化粧板が、キャビネット１ｃに備えた丁番（不図示）を介して、任意に開閉自在に支持固定されている。
【０１１２】
本実施形態においては、図に示す鏡を備えた左開きの中央扉を第１化粧扉２、向かって右側の右開きの右扉を第２化粧扉３として定義し、従って、中央扉と右扉の間が、前記の間隙４となる。
【０１１３】
なお、左側は、左開きの開き扉として構成される。
【０１１４】
また、第一乃至第四の実施形態に比して、第５の本実施形態においては間隙４の長手方向は垂直方向となる。
【０１１５】
中央の第１化粧扉２の第１ライン把手５、右側の第２化粧扉３の第２ライン把手６は、それぞれの最下端から少許上方の位置で、下から、第１ライン把手５、第２ライン把手６の順に、間隙４内に、上下方向に並列して、すれ違い部４１を挟んで、それぞれの化粧扉の回動側端縁に保持固定されている。
【０１１６】
本実施形態の第１ライン把手５、第２ライン把手６自体の側面視断面形状は、第一の実施形態と同じ構造である。
【０１１７】
本実施形態にあっては、第二の実施形態に比し、ライン把手の指掛かり片５３，６３が、左右方向で対向する向きになっているが、本実施形態の場合は、開き扉の手掛かり機能として備えられる把手の指掛かり片であり、各扉の開く向きが明瞭に視認されることが好ましい。
【０１１８】
なお、中央扉の第１ライン把手５が下側、右扉の第２ライン把手６が上側に位置しているが、上下順は逆でもよい。
【０１１９】
本実施形態においては、間隙４の長手方向の一部分に第１ライン把手５および第２ライン把手６が設けられない空隙が形成され、この空隙に、前方を使用面とする電気機器９が設けられる。
【０１２０】
本実施形態では、電気機器９は洗面化粧台の姿見鏡用の照明灯９１、コンセント９２と照明灯用のスイッチ９３である。
【０１２１】
照明灯９１は、第１化粧扉２の両側方に垂直方向に配置され、第１化粧扉２が鏡であるため、この鏡の使用時に、両側の照明灯によって身体・顔面の姿見のための照度アップが図られる好適な配置となっている。また、コンセント９２は、洗面台にあって、例えばヘアードライヤーの電源を接続する目的で設けられるものである。
【０１２２】
なお、電気機器９は、照明灯、コンセントや照明灯用のスイッチに限定されることなく、例えば洗面室の照明や換気扇のスイッチ、洗面台用等の給湯機の温度調節リモコン装置でもよく、特に限定されない。
【０１２３】
このような構成で、間隙４を利用して電気機器９が備えられることで、第１ライン把手５および第２ライン把手６と電気機器９が一本のライン状に見えて、外観意匠性が極めて良好である。
【０１２４】
また、本実施形態では、中央扉の下端、左扉のライン把手、コンセント・スイッチ部の外観視高さを略同一に揃えて、意匠上の統一感を提供している。
【０１２５】
加えて、左扉、中央扉、右扉のライン把手は、すべて同一の部品を使用することで、製造上のコスト抑制に効果を奏する。
【０１２６】
さらに、中央扉左側の照明灯９１と左扉のライン把手の左右方向の見かけの幅寸法を略同一としており、前記の間隙４部位とも併せて、中央扉の左右に縦一線のすっきりとした意匠を提供している。
【０１２７】
ここで、第五の実施形態においては、電気機器９の代わりに、縦長でかつ狭幅の収納棚として構成し、例えば、手鏡や櫛、歯ブラシ等の収納部とすることも可能である。
【０１２８】
また、ライン把手の断面形状は、前記の実施形態に制限されることなく、化粧扉の１辺の端縁に沿って、指や手の掛かり部が延出されて形成されるものであればよい。
【０１２９】
本発明にある間隙４、つまり正面視の高さ寸法Ｈ４の空間に備わり、間隙４の長手方向に沿って、指や手の掛かり部（本実施形態では、指掛かり片５３、指掛かり片６３）が形成され、同じく、前記指や手の掛かり部を支持し、化粧扉（第１化粧扉２、第２化粧扉３）の一辺端縁に保持固定される構造（本実施形態では、縦片５１、６１と横片５２，６２）を有しているものであればよい。
【０１３０】
また、前述の実施形態は、引出しあるいは開き扉について説明したが、面方向に隣接した２枚の化粧扉が、その面方向に自在移動し、相互に突き合せ状態となる引戸にも適用可能である。
【０１３１】
さらに、前記実施形態においては、収納家具１は、キッチンや洗面用途であったが、特にこれらに限定されず、一般的な収納家具用途であってもよい。
【０１３２】
以上、いずれの場合においても、隣接する２つの化粧扉に備えられるライン把手を、対向して２本備えることなく、外観上１本のライン把手のように意匠形成して、複数の収納空間１０の把手を形成することができる。
【０１３３】
特に、本実施形態に示す組み合せ収納家具のように、多数のライン把手列が存在するような場合には、その意匠性の向上、収納家具のコスト削減に好適である。
【符号の説明】
【０１３４】
１    収納家具
１０  収納空間
１１  側板
１２  背板
１３  カウンター
１３ａ  手前調理作業領域
１４  コンロ
１４ａ  電磁調理器
１４ｂ  操作部
１４ｂ１  上面
１Ｌ  収納家具
１Ｒ  収納家具
１ａ  キャビネット
１ａ１〜１ａ３  引出し
１ｂ  キャビネット
１ｂ１１〜１ｂ１２  引出し
１ｂ２  開き扉
１ｂ３  引出し
１ｃ  キャビネット
２    第１化粧扉
２１  下側端縁
３    第２化粧扉
３１  上側端縁
４    間隙
４１  すれ違い部
５    ライン把手
５１  縦片
５２  横片
５３  指掛かり片
５４  固定片
５５  固着具
６    ライン把手
６１  縦片
６２  横片
６３  指掛かり片
６４  固定片
６５  固定具
７    引出し
７ａ  スライドレール
８    ライン把手
９    電気機器
９１  照明灯
９２  コンセント
９３  スイッチ
Ｈ４  間隙の高さ寸法
Ｈ５  第１ライン把手の把手高さ寸法
Ｈ６  第２ライン把手の把手高さ寸法
【図１】
2014144133.tif 000003
【図２】
2014144133.tif 000004
【図３】
2014144133.tif 000005
【図４】
2014144133.tif 000006
【図５】
2014144133.tif 000007
【図６】
2014144133.tif 000008
【図７】
2014144133.tif 000009
【図８】
2014144133.tif 000010
【図９】
2014144133.tif 000011
【図１０】
2014144133.tif 000012